(57)【要約】【課題】指操作による確実な操作入力を可能とし、操作性および取り扱い性にすぐれ、信頼性の高い操作入力装置を提供することを目的とする。【解決手段】透光性プレート４のキースイッチ操作面の裏側に配置したピーク波長が異なる光を発光する発光素子７ａ〜７ｃと、発光素子からの光がプレート４上のキースイッチ操作面の表側に触れた人指５により反射された反射光を検出する受光素子９と、発光素子７ａ〜７ｃを選択する波長選択手段１２と、選択された発光素子からの受光量を波長別に記憶する記憶手段１４と、記憶する各々の波長での受光量からキースイッチ操作面の操作の有無を判別する判別手段１５とを備えたものである。これにより、異なる波長間の受光量から操作の有無を検出することで、指操作による確実な操作入力を可能とし、操作性および取り扱い性にすぐれ、信頼性の高いものとなる。【選択図】図２
2009021018.tif 000002
【特許請求の範囲】
【請求項１】
キースイッチ操作面を有する透光性のプレートと、前記プレートのキースイッチ操作面の裏側に複数配置したピーク波長が異なる光を発光する発光素子と、前記発光素子からの光がプレート上のキースイッチ操作面の表側に触れた反射体により反射された反射光を検出する受光素子と、前記発光素子を選択する波長選択手段と、前記波長選択手段により選択された発光素子からの受光量を波長別に記憶する記憶手段と、前記記憶手段の記憶する各々の波長での受光量からキースイッチ操作面の操作の有無を判別する判別手段とを備えた操作入力装置。
【請求項２】
ピーク波長が異なる光を発光する発光素子に代え、波長の異なる、第１の発光素子と第２の発光素子を有する請求項１に記載の操作入力装置。
【請求項３】
短波長側の波長を０．６５μｍ以下とした請求項２に記載の操作入力装置。
【請求項４】
長波長側の波長を１．５μｍ未満とした請求項２または３に記載の操作入力装置。
【請求項５】
キースイッチ操作面に指操作用の凹部を設け、この凹部と対応して発光素子および受光素子を配置した請求項１〜４のいずれか１項に記載の操作入力装置。
【発明の詳細な説明】
【技術分野】
【０００１】
本発明は、家庭用電化機器などにおける光学式の操作入力装置に関するものである。
【背景技術】
【０００２】
従来、家庭用電化機器など（例えば、誘導加熱調理器、ジャー炊飯器、給湯器、洗濯機、加熱機器、その他の機器）の操作入力装置としては、防滴機能を有するタッチパネル式（例えば、特許文献１参照）、操作感が軽快で、機密性をより高くした静電容量式（例えば、特許文献２参照）、あるいは光学式（例えば、特許文献３参照）が知られている。
【特許文献１】特開平６−２０９８４９号公報
【特許文献２】特開平１０−２１４６７７号公報
【特許文献３】特開２０００−１００２８７号公報
【発明の開示】
【発明が解決しようとする課題】
【０００３】
しかしながら、前記従来の構成のうち、タッチパネル式では、防水フィルムを一体成型した操作パネルにおけるフィルム材料の耐熱温度の制限から、調理中に高温（炒め物時は最高３５０℃）となった鍋を直置きすることができない。また、静電容量式では、トッププレート上に調味液や水がこぼされた場合にも、操作入力があったとして受付けてしまう。また、光学式では、操作する指以外の反射体、例えば、布巾や紙といったものが、キースイッチ操作面に誤って置かれた場合にも、操作入力があったとして受付けてしまう。このようにいずれの方式も操作上および取り扱い上に課題を有していた。
【０００４】
本発明は、前記従来の課題を解決するもので、指操作による確実な操作入力を可能とし、操作性および取り扱い性にすぐれ、信頼性の高い操作入力装置を提供することを目的としている。
【課題を解決するための手段】
【０００５】
前記従来の課題を解決するために、本発明の操作入力装置は、キースイッチ操作面を有する透光性のプレートと、前記プレートのキースイッチ操作面の裏側に複数配置したピーク波長が異なる光を発光する発光素子と、前記発光素子からの光がプレート上のキースイッチ操作面の表側に触れた反射体により反射された反射光を検出する受光素子と、前記発光素子を選択する波長選択手段と、前記波長選択手段により選択された発光素子からの受光量を波長別に記憶する記憶手段と、前記記憶手段の記憶する各々の波長での受光量からキースイッチ操作面の操作の有無を判別する判別手段とを備えたものである。
【０００６】
これにより、異なる波長間の受光量から操作の有無を検出することで、指操作による確実な操作入力を可能とし、操作性および取り扱い性にすぐれ、信頼性の高いものとなる。
【発明の効果】
【０００７】
本発明の操作入力装置は、指操作による確実な操作入力を可能とし、操作性および取り扱い性にすぐれ、信頼性の高いものとなる。
【発明を実施するための最良の形態】
【０００８】
第１の発明は、キースイッチ操作面を有する透光性のプレートと、前記プレートのキースイッチ操作面の裏側に複数配置したピーク波長が異なる光を発光する発光素子と、前記発光素子からの光がプレート上のキースイッチ操作面の表側に触れた反射体により反射された反射光を検出する受光素子と、前記発光素子を選択する波長選択手段と、前記波長選択手段により選択された発光素子からの受光量を波長別に記憶する記憶手段と、前記記憶手段の記憶する各々の波長での受光量からキースイッチ操作面の操作の有無を判別する判別手段とを備えた操作入力装置とするものである。これにより、異なる波長間の受光量から操作の有無を検出することで、指操作による確実な操作入力を可能とし、操作性および取り扱い性にすぐれ、信頼性の高いものとなる。
【０００９】
第２の発明は、特に、第１の発明において、ピーク波長が異なる光を発光する発光素子に代え、波長の異なる、第１の発光素子と第２の発光素子を有することにより、より一層、操作性および取り扱い性にすぐれ、信頼性の高いものとなる。
【００１０】
第３の発明は、特に、第２の発明において、短波長側の波長を０．６５μｍ以下としたことにより、人指による操作の有無をより確実に検出することが可能となる。
【００１１】
第４の発明は、特に、第２または第３の発明において、長波長側の波長を１．５μｍ未満としたことにより、水には感応せず、人指のみに感応する確実な操作入力が可能となる。
【００１２】
第５の発明は、特に、第１〜第４のいずれか１つの発明において、キースイッチ操作面に指操作用の凹部を設け、この凹部と対応して発光素子および受光素子を配置したことにより、操作性を向上させるとともに、外乱光による影響を低減させ、確実な操作入力が可能となる。特に、キースイッチ操作面が傾斜面となっている、あるいは曲面となっている場合に効果的である。
【００１３】
以下、本発明の実施の形態について、図面を参照しながら説明する。なお、この実施の形態によって本発明が限定されるものではない。
【００１４】
（実施の形態１）
図１、図２は、本発明の実施の形態１における操作入力装置として、誘導加熱調理器の操作入力装置を例示している。
【００１５】
図１に示すように、本実施の形態における操作入力装置は、キースイッチ操作面１、加熱電力量の表示部２、リング絵柄で示された加熱領域部３を有する透光性の耐熱強化ガラスなどからなるプレート４を備えている。このプレート４上の加熱領域部３には、鍋、フライパンなどの被加熱物を載置して調理をする。プレート４のキースイッチ操作面１にはキースイッチ１ａ〜１ｃが印刷されており、使用者はこのキースイッチ１ａ〜１ｃに印刷された調理器の制御内容を示す絵柄（アイコン）を確認しながら、その中の一つのアイコンを人指５で触れることで調理操作をするものである。
【００１６】
プレート４の裏側の回路基板６上には、キースイッチ１ａ〜１ｃごとに設けた複数の発光素子７ａ〜７ｃと、発光素子７ａ〜７ｃからの光がプレート４上のキースイッチ操作面１の表側に触れられた人指（反射体）５により反射された複数の波長の反射光を受光する単一の受光素子９とを配置している。複数の発光素子７ａ〜７ｃは、それぞれがピーク波長の異なる波長の光を照射するものである。
【００１７】
また、回路基板６上には、発光素子７ａ〜７ｃと受光素子９に加えて、図２に示す、発光素子７ａ〜７ｃの波長を切り換えおよび発光素子７ａ〜７ｃを選択する波長選択手段１２と、受光素子９の受光した光電流を電圧に変換するＩ−Ｖ変換手段１３と、このＩ−Ｖ変換手段１３の出力する各キースイッチ１ａ〜１ｃおよび波長毎の受光量に比例した電圧（Ｅ１ａ、Ｅ２ａ、Ｅ１ｂ、Ｅ２ｂ、Ｅ１ｃ、Ｅ２ｃ）を記憶する記憶手段１４と、この記憶手段１４の出力より、各波長の反射光の受光量比（Ｅ１ａ／Ｅ２ａ、Ｅ１ｂ／Ｅ２ｂ、Ｅ１ｃ／Ｅ２ｃ）を演算してキースイッチ１ａ〜１ｃの操作の有無を判別する判別手段１５とが実装してある。
【００１８】
また、発光素子７ａ〜７ｃとプレート４の間、およびプレート４と受光素子９の間にはＶ字型の導光体１０が設けてある。プレート４と導光体１０との間は、照射光と人指５による反射光を効率よく伝播させるため、空気層を挟まないように、光学接着剤１１で満たしている。発光素子７ａ〜７ｃと受光素子９と導光体１０は回路基板６に所定の角度で対向するように固定されている。
【００１９】
なお、導光体１０はプレート４の屈折率（≒１．５４１）に近い値の材料で作られている。例えば、屈折率制御（低屈折率下）を行ったポリカーボネートや、エポキシ系樹脂に硫黄やフッ素を含有させ、その含有量を制御（±０．００１の精度で制御可能）した樹脂、あるいは非晶質の透明プラスチックであるポリオレフィン樹脂と複数元素との複合化した樹脂などを用いている。これにより、発光素子７ａ〜７ｃから照射された光はプレート４下面で反射することなく、ほぼ全てが人指５へ照射される。さらに、導光体１０の受光素子９側は、人指５がキースイッチ１ａ〜１ｃのどの位置に触れられても、反射光の受光素子９までの光路がほぼ等しくなるように計算した楕円放物面（ｘ２／ａ２＋ｙ２／ｂ２＝２ｚ）または双曲放物面（ｘ２／ａ２−ｙ２／ｂ２＝２ｚ）を用いている。導光体１０の屈折率をプレート４の屈折率に合わせてあるため、人指５で反射された反射光は、導光体１０内部を全反射あるいは直進しながら、受光素子９に大半が導かれることになり、Ｓ／Ｎ比を高く保つことが可能となる。
【００２０】
以上のように構成された誘導加熱調理器について、以下その動作、作用を説明する。
【００２１】
使用者は誘導加熱が可能である鍋などをリング絵柄で示されたプレート４上の加熱領域部３に置く。電源コンセントを商用電源に挿入すると、図示していない主制御回路からキー入力許可信号および駆動用電圧が供給され、波長選択手段１２によって選ばれた発光素子７ａ〜７ｃが順次異なるピーク波長の光を照射してキー操作可能状態となる。キースイッチ１ａ〜１ｃ上に、反射体が存在しない場合には、照射光は導光体１０の端面から入射し、直進あるいは全反射を繰り返しながら導光体１０内部を伝搬した後、プレート４を透過して上空へ放出される。この時、受光素子９には反射光が受光されないので、記憶手段１４には波長選択手段１２からのアドレス信号で指示された記憶番地に、反射光量Ｅ１ａ≒Ｅ２ａ≒Ｅ１ｂ≒Ｅ２ｂ≒Ｅ１ｃ≒Ｅ２ｃ≒０が６個記憶され、判別手段１５は各々のキースイッチ１ａ〜１ｃに相当する光量比を算出した結果、全てのキー操作がないと判別し、キー入力信号を出力しないので、加熱動作などは行われない。
【００２２】
次に、人指５などの反射体が、例えば、キースイッチ１ｂ上に存在する場合は、照射光は人指５などで拡散反射し、導光体１０の受光側放物面形状の内部を直進あるいは全反射を繰り返しながら伝搬した後、受光素子９で受光され、光電効果により光電流が流れ、Ｉ−Ｖ変換手段１３より反射光量に比例した電圧Ｅ１ｂ、Ｅ２ｂが出力され、記憶手段１４に記憶される。判別手段１５はこの記憶された反射光量の比Ｅ１ｂ／Ｅ２ｂを演算して、キースイッチ１ｂが操作されたと判別し、キー入力信号ｂを出力する。
【００２３】
主制御回路はこのキー入力信号ｂを入力して、電磁誘導による加熱動作を開始する。同様に、キースイッチ１ａ上に人指５などの反射体がある時は、加熱電力を下げ、キースイッチ１ｃ上に人指５などの反射体がある時は、加熱電力を上げる動作を行う。そして、調理が終わり、使用者が再びキースイッチ１ｂ上を人指５で触れると、加熱動作を停止する。
【００２４】
ここで、発光素子９とキースイッチ操作面１であるプレート４間に設けた導光体１０の屈折率をプレート４と合わせていることにより、人指５などの反射体で反射された反射光は導光体１０の受光側放物面形状により受光素子９に導かれるため、受光量が安定し、プレート４を介しても確実な操作入力が可能となる。
【００２５】
以上のように、本実施の形態では、それぞれの発光素子７ａ〜７ｃから波長の異なる２種類の光を照射し、その反射光の受光量の比を演算し、操作の有無を検出することで、指操作による確実な操作入力を可能とし、操作性および取り扱い性にすぐれ、信頼性の高いものとなる。特に、外乱光や、発光素子の経時変化などに対して、影響が少なくなり、信頼性の高い操作入力装置とすることができる。
【００２６】
なお、本実施の形態の操作入力手段は、光学式のため作動力不要（人指を近づけるだけで、触れることなく、スイッチ操作することも可能）で、デザイン面でも差別化ができ、動作寿命が半永久的で、防塵・防水構造が可能という特徴を有するとともに、キースイッチ操作面の汚れに対しても強く、信頼性の高いものである。
【００２７】
また、本実施の形態では、キースイッチ操作面に保護フィルムがなく、人指からの反射光が透過する間に減衰することがないため、受光素子での検出能力が低下せず、確実な操作が行えるものである。
【００２８】
なお、発光素子７ａ〜７ｃは２色（ＲＧ、ＲＢ、ＢＧ）発光ＬＥＤや、３色（フルカラー）ＬＥＤで、複数の異なる波長で順次発光させてもよい。
【００２９】
また、ゲーム機器などのような高速なキースイッチ応答は要求されず、むしろ確実な操作入力が要求されるため、キースイッチ個数×複数の波長×パルス幅＝総入力時間と、従来の入力装置よりも入力時間が長くなっても問題は生じない。
【００３０】
また、波長選択手段１２、記憶手段１４、判別手段１５は、ＲＯＭ、ＲＡＭ、Ｉ／Ｏ、Ａ／Ｄをワンチップに集積した小ピン数で安価なマイクロコンピュータで実現してもよい。
【００３１】
（実施の形態２）
図３〜図５は、本発明の実施の形態２における操作入力装置および人指に含まれるヘモグロビンや、水分の吸収特性を示している。実施の形態１における操作入力装置と同一要素については同一符号を付してその説明を省略する。
【００３２】
図３、図４に示すように、本実施の形態における操作入力装置は、実施の形態１におけるピーク波長が異なる光を発光する発光素子７ａ〜７ｃに代え、波長の異なる、第１の発光素子８ａ〜８ｃと第２の発光素子８ｄ〜８ｆを有するものである。具体的には、０．５μｍ〜３．５μｍの波長光のうち、第１の発光素子８ａ〜８ｃは短波長側の光を発光し、第２の発光素子８ｄ〜８ｆは長波長側の光を発光するものである。そして、発光素子８ａと８ｄ、８ｂと８ｅ、８ｃと８ｆがそれぞれ対となって配置されている。
【００３３】
また、Ｖ字型の導光体１０は、図３に示すように、発光素子８ａ〜８ｃ、８ｄ〜８ｆの光をキースイッチ操作面１に案内する入光案内部１０ａと、人指５により反射された反射光を受光素子９へ案内する反射案内部１０ｂとからなっており、構成材料（屈折率＝１．５４１）と空気（屈折率＝１）との屈折率差による全反射などを利用して、光を効率よくキースイッチ操作面１および受光素子９へ導くものである。すなわち、プレート４の透過率＜プレート４と接する光学接着剤１１部分の透過率＜入光案内部１０ａの透過率  となるように設計してある。これにより、第１の発光素子８ａ〜８ｃ、および第２の発光素子８ｄ〜８ｆから照射された光は入光案内部１０ａからプレート４へ反射光を殆ど生じることなく導かれる。他方、人指５などの反射体で反射された光は、全反射条件が成立するため入光案内部１０ａ側には戻らず、その大部分は反射案内部１０ｂにより受光素子９に導かれることになり、Ｓ／Ｎ比（反射光と外乱光の比、キー操作ありと操作なしの比）を高く保つことが可能となる。
【００３４】
次に、人指５などの反射体がキースイッチ１ａ〜１ｃ上に存在する場合は、照射光は人指５などで拡散反射し、反射案内部１０ｂの受光側放物面形状の内部を直進あるいは全反射を繰り返しながら伝搬した後、受光素子９で受光され、光電効果により光電流が流れ、Ｉ−Ｖ変換手段１３より反射光量に比例した電圧Ｅ１ａ〜Ｅ１ｃ（第１の発光素子による反射光量）、Ｅ２ａ〜Ｅ２ｃ（第２の発光素子による反射光量）が出力され、記憶手段１４に記憶される。判別手段１５はこの記憶された反射光量の比Ｅ１ａ／Ｅ２ａ、Ｅ１ｂ／Ｅ２ｂ、Ｅ１ｃ／Ｅ２ｃを演算して、キースイッチ１ａ〜１ｃが操作されたと判別し、キー入力信号ａ〜ｃを出力する。
【００３５】
また、図５に示すように、ヘモグロビンは０．６５μｍ以下の可視光領域で吸収される度合いが強く、水分は１．５μｍを越える領域で吸収される度合いが強い。人の組織の約７割は水分で占められており、生体において可視域〜赤外域の光が吸収されるのが主に水分とヘモグロビンであることを考えれば、０．６５μｍ以下でかつ１．５μｍ未満の波長域の光（近赤外光）が人体の検出に適している。一方、誘導加熱調理器のプレート４に用いられる強化ガラスは耐熱性を有しながら強度を高めるため、特殊組成のガラスを再加熱してガラス中に微細結晶を析出させた結晶化ガラスが用いられており、０．５μｍ〜２．６μｍの波長の光は８０％以上透過し、３〜４μｍの波長の光は３０％程度透過し、４μｍよりも長い波長、および０．５μｍよりも短い波長の光はほとんど通さないので、第１の発光素子８ａ〜８ｃとして、波長０．５６３μｍ（純緑色）か、波長０．５９１μｍ（黄色）のＬＥＤを、第２の発光素子８ｄ〜８ｆとして波長１．１μｍ程度のレーザーダイオードを用いることができる。受光素子９としてはＰＩＮ−ＰＤなどを用いることができる。
【００３６】
キー操作の有無を検出する対象物の反射特性は下記のように整理される。
１．人指（血液中の酸化ヘモグロビン、水分）
酸化ヘモグロビンの吸収スペクトル（０．６５μｍ以下）と、水分の吸収スペクトル（１．５μｍ以上）の両方を示す
２．プレートのキースイッチ操作面上に零れた水や調理液体
水の吸収スペクトル（１．５μｍ以上）を示す
３．プレートのキースイッチ操作面上にずらして置かれた鍋（金属、陶器）
吸収スペクトルが存在しない
従って、第１の発光素子８ａ〜８ｃを照射した時に反射光が少なく、第２の発光素子８ｄ〜８ｆを照射した時に、反射光があるのは人指５と判定できる。
【００３７】
以上のように、本実施の形態では０．５μｍ〜３．５μｍの波長光のうち、短波長側（図５のλ１）の光を発光する第１の発光素子８ａ〜８ｃに０．６５μｍ以下波長の素子を、長波長側（図５のλ２）の光を発光する第２の発光素子８ｄ〜８ｆに１．５μｍ未満（かつ、０．６５μｍ以上）の素子を用い、順次点灯させ、前記単一の受光素子９による受光量の比を演算することにより、人指５にのみ感応する信頼性の高い操作入力装置とすることができる。
【００３８】
なお、操作方法が指先なので加熱調理機内に内蔵した送風ファンが生じさせる吸気により十分に冷却されたキースイッチ操作面１の温度範囲は０〜４０℃に保たれており、このキースイッチ操作面１部分のプレート４自身が放射する赤外線エネルギーはステファン・ボルツマンの法則により波長３．５μｍ〜６５μｍに集約される。また、調理時の鍋などの温度は約３０℃〜３５０℃であり、この温度の物体が放射する赤外線のピーク波長はプランクの放射法則により５μｍ〜１０μｍであり、全エネルギー放射はステファン・ボルツマンの法則により１．８μｍ〜６５μｍに集約される。このうち、プレート４を透過して１．８μｍ〜４μｍの赤外光が調理器本体の外郭内に侵入するが、受光素子９に直接入らないように遮光材（図示せず）を設けてある。
【００３９】
なお、誘導加熱は、商用電源からダイオードブリッジを経て、第１の平滑コンデンサへ並列接続され、この直流電圧をインバータ回路で高周波電流に変換した後、鍋などと対向して所定のギャップをおいて配置されている加熱コイルに供給することにより、高周波磁界を発生させ、鍋などを誘導加熱している。このため、加熱コイルに供給される高周波電流や、ＤＣ電源のスイッチングノイズなどの電磁誘導ノイズが多いため、光電流の検出にはノイズ除去処理（遅延）時間を設け、誤動作しないようにするのが一般的であるが、加熱調理器ではゲーム機器などのような高速なキースイッチ応答は要求されず、むしろ確実な操作入力が要求されるため、キースイッチ個数×複数の波長×パルス幅＝総入力時間と、従来の入力装置よりも入力時間が長くなっても問題は生じない。
【００４０】
以上のように、本実施の形態では、波長の異なる、第１の発光素子８ａ〜８ｃと第２の発光素子８ｄ〜８ｆを有するものであるので、より一層、操作性および取り扱い性にすぐれ、信頼性の高いものとなる。
【００４１】
（実施の形態３）
図６は、本発明の実施の形態３における操作入力装置として、ジャー炊飯器の操作入力装置を例示している。実施の形態１、２における操作入力装置と同一要素については同一符号を付してその説明を省略する。
【００４２】
図に示すように、本実施の形態における操作入力装置は、キースイッチ操作面１に指操作用の凹部１６を設け、この凹部１６と対応して発光素子７ａ〜７ｃ（または８ａ〜８ｃ、８ｄ〜８ｆ）および受光素子９を配置したものである。凹部１６は人指の形状に合致する楕円形状が好ましい。これにより、操作感を向上させるとともに、外乱光による影響を低減させ、確実な操作入力を可能としている。
【００４３】
なお、ジャー炊飯器における主要な操作は、「炊飯開始／停止」と、「保温／切」であるので、図６（ｂ）の２つの凹部１６に示すように、この２つを本実施の形態における操作入力装置（凹部１６、発光素子および受光素子を含む）に割り当て、残りの時刻設定キーや、コース選択キーは従来の防水フィルム式のプッシュスイッチとして、コストを抑えるようにしている。コストを考慮しなくてもよければ、全てのスイッチを本実施の形態における操作入力装置とすることができる。
【００４４】
例示したジャー炊飯器は、ボディ１７、米と水を入れる鍋１８、鍋１８の温度を検知する温度センサ１９、操作基板２０、ボディ１７の上面の傾斜面に設けた本実施の形態における操作入力装置、誘導加熱する加熱制御回路基板２１、防水フィルム式のプッシュスイッチ２２ａ〜２２ｄを備えている。
【００４５】
以上のように、本実施の形態では、キースイッチ操作面１に指操作用の凹部１６を設けことにより、操作性を向上させるとともに、外乱光による影響を低減させ、確実な操作入力が可能となる。特に、キースイッチ操作面が傾斜面となっている、あるいは曲面となっている場合に効果的である。
【産業上の利用可能性】
【００４６】
以上のように、本発明にかかる操作入力装置は、指操作による確実な操作入力を可能とし、操作性および取り扱い性にすぐれ、信頼性の高いものとなるので、家庭用電化機器のみならず様々な産業用機器などにも適用することができる。
【図面の簡単な説明】
【００４７】
【図１】（ａ）本発明の実施の形態１における操作入力装置を有する誘導加熱調理器の平面図（ｂ）同操作入力装置の要部の断面図
【図２】同操作入力装置のブロック図
【図３】（ａ）本発明の実施の形態２における操作入力装置の要部の側断面図（ｂ）同操作入力装置の導光体と受光素子の関連構成図
【図４】同操作入力装置のブロック図
【図５】反射体の吸光度と波長との相関を示すグラフ
【図６】（ａ）本発明の実施の形態３における操作入力装置を有するジャー炊飯器の要部を断面にして示した側面図（ｂ）同ジャー炊飯器の操作部を示す平面図（ｃ）同操作入力装置の要部の断面図
【符号の説明】
【００４８】
１  キースイッチ操作面
４  プレート
５  人指
７ａ〜７ｃ  発光素子
８ａ〜８ｃ  第１の発光素子
８ｄ〜８ｆ  第２の発光素子
９  受光素子
１２  波長選択手段
１３  Ｉ−Ｖ変換手段
１４  記憶手段
１５  判別手段
１６  凹部
【図２】
2009021018.tif 000003
【図３】
2009021018.tif 000004
【図４】
2009021018.tif 000005
【図５】
2009021018.tif 000006
【図１】
2009021018.tif 000007
【図６】
2009021018.tif 000008